(57)【要約】【課題】受圧室内に負圧が生じた場合に、負圧を可及的速やかに解消して、異音や振動の発生を防止することが出来ると共に、受圧室内に正圧が生じた場合には、受圧室内の圧力変動を確保して、オリフィス通路を通じての流体流動量を十分に得ることにより、流体の流動作用に基づく防振効果を有効に発揮する、新規な構造の流体封入式防振装置を提供すること。【解決手段】液圧調節用弾性膜６４を、仕切部材４２の受圧室４４側表面に接触するように重ね合わせて、一方の面が受圧室４４内に直接面するように外周縁部を仕切部材４２に固定して配設する一方、仕切部材４２に透孔８０を設けて、該透孔８０を通じて液圧調節用弾性膜６４の他方の面に平衡室４６の液圧が及ぼされるようにして、受圧室４４と平衡室４６の圧力差による液圧調節用弾性膜６４の受圧室４４側への変形を許容すると共に、平衡室４６側への変形を阻止した。【選択図】図１
2007139024.tif 000002
【特許請求の範囲】
【請求項１】
第一の取付部材と第二の取付部材を本体ゴム弾性体で連結せしめ、該本体ゴム弾性体で壁部の一部が構成されて振動入力時に圧力変動が生ぜしめられる受圧室と、壁部の一部が可撓性膜で構成されて容積変化が許容される平衡室を、該第二の取付部材で支持された仕切部材を挟んだ両側に形成して、それら受圧室と平衡室に非圧縮性流体を封入すると共に、該受圧室と該平衡室を相互に連通するオリフィス通路を設けた流体封入式防振装置において、
前記仕切部材の前記受圧室側表面に接触するように液圧調節用弾性膜を重ね合わせて配設し、該液圧調節用弾性膜の外周縁部を該仕切部材に固定する一方、該仕切部材の該液圧調節用弾性膜が重ね合わされた部位に透孔を形成して該液圧調節用弾性膜の一方の面に該受圧室の圧力が及ぼされると共に該液圧調節用弾性膜の他方の面に該透孔を通じて前記平衡室の圧力が及ぼされるようにして、該液圧調節用弾性膜の該受圧室側への弾性変形が許容される一方、該液圧調節用弾性膜の該平衡室側への弾性変形が規制される構造としたことを特徴とする流体封入式防振装置。
【請求項２】
前記液圧調節用弾性膜が前記受圧室側に凸となるドーム形状とされていると共に、前記仕切部材において該液圧調節用弾性膜が重ね合わせられる面が該液圧調節用弾性膜のドーム形状に応じた湾曲凸状面とされている請求項１に記載の流体封入式防振装置。
【請求項３】
前記液圧調節用弾性膜において、該液圧調節用弾性膜の前記仕切部材に重ね合わされる面から該仕切部材に向かって突出する緩衝突部が設けられており、該緩衝突部の突出先端部が該仕切部材に当接されている請求項１又は２に記載の流体封入式防振装置。
【請求項４】
前記仕切部材に対して前記受圧室側から重ね合わされて該仕切部材の少なくとも外周部分を覆うようにして組み付けられる固定部材を設けて、前記液圧調節用弾性膜の外周縁部を該仕切部材と該固定部材の間で挟んで支持せしめる一方、該液圧調節用弾性膜の外周側において、該仕切部材と該固定部材を重ね合わせ方向で所定距離を隔てて対向位置せしめてかかる対向面間に収容スペースを形成すると共に、該液圧調節用弾性膜の外周部分を該収容スペースにまで延び出させて可動弾性膜を形成し、該可動弾性膜を該収容スペース内で板厚方向に変位可能に配設すると共に、該収容スペースを壁部を構成する該仕切部材と該固定部材に通孔を形成し、それらの通孔を通じて前記受圧室と前記平衡室の圧力が該可動弾性膜の両側面に及ぼされるようにして液圧吸収機構を構成した請求項１乃至３の何れか一項に記載の流体封入式防振装置。
【請求項５】
前記オリフィス通路が第一のオリフィス通路と第二のオリフィス通路を含んで構成されており、該第一のオリフィス通路を通じて流動せしめられる流体の共振周波数がエンジンシェイクに相当する周波数域にチューニングされていると共に、該第二のオリフィス通路を通じて流動せしめられる流体の共振周波数がアイドリング振動に相当する周波数域にチューニングされて、自動車用エンジンマウントを構成する請求項１乃至４の何れか一項に記載の流体封入式防振装置。
【請求項６】
前記第二の取付部材を円筒形状として、該第二の取付部材の一方の開口部側に前記第一の取付部材を離隔配置せしめて、それら第一の取付部材と第二の取付部材を連結する前記本体ゴム弾性体で該第二の取付部材の一方の開口部を流体密に覆蓋すると共に、該第二の取付部材の他方の開口部を前記可撓性膜で流体密に覆蓋せしめる一方、前記仕切部材を該第二の取付部材で固定的に支持せしめて、該仕切部材を該本体ゴム弾性体と該可撓性膜の対向面間で該第二の取付部材の軸直角方向に広がるように配設することにより、該仕切部材を挟んだ両側に前記受圧室と前記平衡室を形成し、それら受圧室と平衡室を相互に連通する前記オリフィス通路を該仕切部材の外周部分を周方向に延びるように形成すると共に、該仕切部材の中央部分に前記液圧調節用弾性膜を配設した請求項１乃至５の何れか一項に記載の流体封入式防振装置。
【発明の詳細な説明】
【技術分野】
【０００１】
本発明は、例えば自動車用エンジンマウント等に用いられる防振装置に係り、特に、内部に封入された非圧縮性流体の流動作用を利用して防振効果を得るようにした流体封入式防振装置に関するものである。
【背景技術】
【０００２】
従来から、振動伝達系を構成する部材間に介装される防振連結体乃至は防振支持体として、第一の取付部材と第二の取付部材を本体ゴム弾性体で連結した防振装置が各種分野で広く採用されている。その一種として、振動が入力される受圧室と、容積変化が許容される平衡室を形成して、それら両室に非圧縮性流体を封入すると共に、それら両室を相互に連通するオリフィス通路を設けた流体封入式防振装置が知られている。
【０００３】
このような流体封入式防振装置では、封入した非圧縮性流体の共振作用等の流動作用に基づいて防振効果を得ることが出来る。それ故、ゴム弾性体だけの防振特性を利用する場合に比して、防振装置に要求される低動ばね特性や高減衰特性を、一層有利に得ることが可能となる。特に、オリフィス通路の形状や長さ等の設計変更で防振特性の周波数チューニングも容易に出来る。それ故、例えば、特定の周波数域で高度な防振性能が要求される自動車用のエンジンマウント等への適用が、積極的に検討されている。
【０００４】
ところで、このような流体封入式防振装置では、第一の取付部材と第二の取付部材の間に大きな振動荷重が入力されると、防振装置から異音や振動が発せられる場合がある。具体的には、上述の如き構造の流体封入式防振装置をエンジンマウントとして採用する自動車では、波状路やスピードバンプ（道路を横断するかまぼこ形の障害物）が設けられた路面上等を走行した場合に、車室内で乗員が体感できる程の異音や衝撃を生ずる場合がある。
【０００５】
このような異音や振動の発生原因は、未だ充分に解明されていないが、衝撃的な振動の入力時において、オリフィス通路を通じて受圧室と平衡室の間で生じる流体流動が追従しきれず、受圧室内で局所的に瞬間的な著しい負圧が生ぜしめられることによると考えられる。即ち、このような負圧が生ぜしめられると、封入流体から気体が分離されて、キャビテーションと解せられる気泡が形成される。更に、かかる気泡は、発生から成長に至る過程を経てから崩壊に至り、爆発的な微小噴流（マイクロジェット）を形成する。これが水撃圧となって第一の取付部材や第二の取付部材に伝播し、自動車のボデーなどに伝達されることによって前述の如き問題となる異音や振動が生ぜしめられるに至るものと考えられる。
【０００６】
そこで、このような問題に対処するために、特許文献１（特公平７−１０７４１６号公報）には、受圧室と平衡室を仕切る仕切ゴム膜に対して、切込みを形成した構造が提案されている。かかる仕切ゴム膜においては、受圧室と平衡室の圧力差が大きくなると仕切ゴム膜が弾性変形することで、そこに設けられた切込みが開口して受圧室と平衡室が連通せしめられる。これにより、切込みを通じての流体流動が許容されて、受圧室における過大な負圧が回避されるようになっている。
【０００７】
しかしながら、このような特許文献１に記載の構造では、受圧室に負圧が生じた場合だけでなく、正圧が生じた場合にも仕切ゴム膜の切込みが開口して、該切込みを通じて受圧室と平衡室が連通状態となる。そのために、振動入力時に、受圧室と平衡室の相対的な圧力変動を充分に得ることが難しくなる。その結果、オリフィス通路を通じての流体流動量が十分に得られなくなって、オリフィス通路による所期の防振効果が有効に発揮され難くなってしまうおそれがあった。
【０００８】
【特許文献１】特公平７−１０７４１６号公報
【発明の開示】
【発明が解決しようとする課題】
【０００９】
ここにおいて、本発明は、上述の如き事情を背景として為されたものであって、その解決課題とするところは、振動入力時における受圧室の圧力変動を効率的に確保してオリフィス通路による防振効果を充分に確保しつつ、受圧室内における気泡の発生に起因する異音や振動を効果的に防止することが出来る、新規な構造の流体封入式防振装置を提供することを目的とする。
【課題を解決するための手段】
【００１０】
以下、このような課題を解決するために為された本発明の態様を記載する。なお、以下に記載の各態様において採用される構成要素は、可能な限り任意な組み合わせで採用可能である。また、本発明の態様乃至は技術的特徴は、以下に記載のものに限定されることなく、明細書全体および図面に記載されたもの、或いはそれらの記載から当業者が把握することの出来る発明思想に基づいて認識されるものであることが理解されるべきである。
【００１１】
（本発明の第一の態様）
すなわち、本発明の第一の態様は、第一の取付部材と第二の取付部材を本体ゴム弾性体で連結せしめ、該本体ゴム弾性体で壁部の一部が構成されて振動入力時に圧力変動が生ぜしめられる受圧室と、壁部の一部が可撓性膜で構成されて容積変化が許容される平衡室を、該第二の取付部材で支持された仕切部材を挟んだ両側に形成して、それら受圧室と平衡室に非圧縮性流体を封入すると共に、該受圧室と該平衡室を相互に連通するオリフィス通路を設けた流体封入式防振装置において、前記仕切部材の前記受圧室側表面に接触するように液圧調節用弾性膜を重ね合わせて配設し、該液圧調節用弾性膜の外周縁部を該仕切部材に固定する一方、該仕切部材の該液圧調節用弾性膜が重ね合わされた部位に透孔を形成して該液圧調節用弾性膜の一方の面に該受圧室の圧力が及ぼされると共に該液圧調節用弾性膜の他方の面に該透孔を通じて前記平衡室の圧力が及ぼされるようにして、該液圧調節用弾性膜の該受圧室側への弾性変形が許容される一方、該液圧調節用弾性膜の該平衡室側への弾性変形が規制される構造としたことを、特徴とする。
【００１２】
このような本態様に従う構造とされた流体封入式防振装置においては、液圧調節用弾性膜の弾性変形が受圧室側で許容されていることにより、受圧室内で過大な負圧が生じた場合に、液圧調節用弾性膜の弾性変形によって受圧室内の負圧が可及的速やかに解消されて、かかる負圧に起因する異音や振動の発生を有利に防ぐことが出来る。一方、液圧調節用弾性膜が仕切部材に重ね合わせられて配設されて、液圧調節用弾性膜の弾性変形が平衡室側で制限されていることにより、受圧室内に正圧が生じた場合には、受圧室内の液圧変動が液圧調節用弾性膜の弾性変形で吸収されることなく確保されて、オリフィス通路を通じての流体流動量を有効に得ることができ、流体の流動作用に基づく防振効果を有効に発揮することが可能とされている。
【００１３】
さらに、液圧調節用弾性膜の平衡室側の面が仕切部材の受圧室側の面に対して接触状態で重ね合わせられていることから、受圧室に正圧が生ぜしめられた場合に液圧調節用弾性膜が仕切部材に打ち当てられることによる打音の発生等の不具合を有利に回避することも出来る。
【００１４】
（本発明の第二の態様）
また、本発明の第二の態様は、前記第一の態様に係る流体封入式防振装置において、前記液圧調節用弾性膜が前記受圧室側に凸となるドーム形状とされていると共に、前記仕切部材において該液圧調節用弾性膜が重ね合わせられる面が該液圧調節用弾性膜のドーム形状に応じた湾曲凸状面とされていることを、特徴とする。
【００１５】
このような本態様に従う構造とされた流体封入式防振装置においては、液圧調節用弾性膜と仕切部材の打ち当たり方向に対して、液圧調節用弾性膜と仕切部材の当接方向を相互に傾斜せしめることが出来る。これにより、液圧調節用弾性膜の仕切部材に対する当接に起因する衝撃力を低減することが出来て、当接打音の低減乃至は回避を実現することが出来る。
【００１６】
（本発明の第三の態様）
また、本発明の第三の態様は、前記第一又は第二の態様に係る流体封入式防振装置において、前記液圧調節用弾性膜において、該液圧調節用弾性膜の前記仕切部材に重ね合わされる面から該仕切部材に向かって突出する緩衝突部が設けられており、該緩衝突部の突出先端部が該仕切部材に当接されていることを、特徴とする。
【００１７】
このような本態様に従う構造とされた流体封入式防振装置においては、振動が入力されて、液圧調節用弾性膜が弾性変形し、仕切部材から離隔せしめられた後に、仕切部材に当接せしめられる場合に、液圧調節用弾性膜の仕切部材への当接による衝撃力を緩衝突部で緩和することが出来て、当接打音の発生を有利に低減乃至は回避することが出来る。
【００１８】
（本発明の第四の態様）
また、本発明の第四の態様は、前記第一乃至第三の何れか一つの態様に係る流体封入式防振装置において、前記仕切部材に対して前記受圧室側から重ね合わされて該仕切部材の少なくとも外周部分を覆うようにして組み付けられる固定部材を設けて、前記液圧調節用弾性膜の外周縁部を該仕切部材と該固定部材の間で挟んで支持せしめる一方、該液圧調節用弾性膜の外周側において、該仕切部材と該固定部材を重ね合わせ方向で所定距離を隔てて対向位置せしめてかかる対向面間に収容スペースを形成すると共に、該液圧調節用弾性膜の外周部分を該収容スペースにまで延び出させて可動弾性膜を形成し、該可動弾性膜を該収容スペース内で板厚方向に変位可能に配設すると共に、該収容スペースを壁部を構成する該仕切部材と該固定部材に通孔を形成し、それらの通孔を通じて前記受圧室と前記平衡室の圧力が該可動弾性膜の両側面に及ぼされるようにして液圧吸収機構を構成したことを、特徴とする。
【００１９】
このような本態様に従う構造とされた流体封入式防振装置においては、液圧調節用弾性膜を取り囲むように一体形成された可動弾性膜の微小な弾性変形によって、振動入力時における受圧室内の微小な圧力変動を平衡室に逃して吸収することが出来る。それ故、可動弾性膜の微小変形乃至は変位による液圧吸収作用によって優れた防振効果を得ることが出来る。
【００２０】
（本発明の第五の態様）
また、本発明の第五の態様は、前記第一乃至第四の何れか一つの態様に係る流体封入式防振装置において、前記オリフィス通路が第一のオリフィス通路と第二のオリフィス通路を含んで構成されており、該第一のオリフィス通路を通じて流動せしめられる流体の共振周波数がエンジンシェイクに相当する周波数域にチューニングされていると共に、該第二のオリフィス通路を通じて流動せしめられる流体の共振周波数がアイドリング振動に相当する周波数域にチューニングされて、自動車用エンジンマウントを構成することを、特徴とする。
【００２１】
このような本態様に従う構造とされた流体封入式防振装置においては、自動車用のエンジンマウントにおいて防振対象となるエンジンシェイク及びアイドリングに基づく各振動に対して、流体の流動作用による優れた防振効果を有効に発揮せしめることが出来る。
【００２２】
特に、本態様は、前記第四の態様と組み合わせて好適に採用される。即ち、可動弾性膜をこもり音等の高周波数域の振動にチューニングすることにより、第一のオリフィス通路を通じて流動せしめられる流体の流動作用に基づいてエンジンシェイク等の低周波数域の振動に対して防振効果が得られると共に、第二のオリフィス通路を通じて流動せしめられる流体の流動作用に基づいてアイドリング等の中周波数域の振動に対して防振効果が得られる一方、可動弾性膜の微小な弾性変形による液圧吸収作用によってこもり音等の高周波数域の振動に対して防振効果が得られて、広い周波数域の振動に対して優れた防振効果を得ることが出来るのである。
【００２３】
（本発明の第六の態様）
本発明の第六の態様は、前記第一乃至第五の何れか一つの態様に係る流体封入式防振装置であって、前記第二の取付部材を円筒形状として、該第二の取付部材の一方の開口部側に前記第一の取付部材を離隔配置せしめて、それら第一の取付部材と第二の取付部材を連結する前記本体ゴム弾性体で該第二の取付部材の一方の開口部を流体密に覆蓋すると共に、該第二の取付部材の他方の開口部を前記可撓性膜で流体密に覆蓋せしめる一方、前記仕切部材を該第二の取付部材で固定的に支持せしめて、該仕切部材を該本体ゴム弾性体と該可撓性膜の対向面間で該第二の取付部材の軸直角方向に広がるように配設することにより、該仕切部材を挟んだ両側に前記受圧室と前記平衡室を形成し、それら受圧室と平衡室を相互に連通する前記オリフィス通路を該仕切部材の外周部分を周方向に延びるように形成すると共に、該仕切部材の中央部分に前記液圧調節用弾性膜を配設したことを、特徴とする。
【００２４】
このような本態様に従う構造とされた流体封入式防振装置においては、仕切部材の両側に受圧室と平衡室を効率的に形成することが可能となり、全体としてコンパクトな流体封入式防振装置を実現することが可能となる。その結果、例えば、自動車用のエンジンマウント等として特に有利に採用することが可能となる。
【発明の効果】
【００２５】
上述の説明から明らかなように、本発明に従う構造とされた流体封入式防振装置にあっては、受圧室に過大な負圧が惹起せしめられた場合に、受圧室内の負圧を速やかに解消して、負圧に起因する異音や振動等の発生を有効に防ぐことが出来ると共に、受圧室に正圧が惹起せしめられた場合に、受圧室内の液圧を十分に確保できて、オリフィス通路を通じて流動せしめられる流体の流動作用に基づく所期の防振効果を有効に発揮せしめることが出来る。
【発明を実施するための最良の形態】
【００２６】
以下、本発明を更に具体的に明らかにするために、本発明の実施形態について、図面を参照しつつ、詳細に説明する。
【００２７】
先ず、図１には、本発明の一実施形態としての自動車用エンジンマウント１０が示されている。このエンジンマウント１０は、第一の取付部材としての第一の取付金具１２と第二の取付部材としての第二の取付金具１４が本体ゴム弾性体１６で連結された構造とされている。また、エンジンマウント１０は、第一の取付金具１２がパワーユニット側に取り付けられる一方、第二の取付金具１４がボデー側に取り付けられることにより、パワーユニットをボデーに対して、他の図示しないエンジンマウント等と協働して防振支持せしめるようになっている。即ち、本実施形態では、パワーユニットによって防振連結される一方の部材が構成されており、ボデーによって防振連結される他方の部材が構成されているのである。また、このような装着状態下、エンジンマウント１０には、パワーユニットの分担支持荷重が及ぼされるようになっており、それに伴って、本体ゴム弾性体１６が弾性変形せしめられて、第一の取付金具１２と第二の取付金具１４が図１中の上下方向に所定量だけ接近して相対変位せしめられるようになっている。そして、防振すべき主たる振動が、第一の取付金具１２と第二の取付金具１４の間に対して、図１中の略上下方向に入力されるようになっている。
【００２８】
より詳細には、第一の取付金具１２は、略円板形状を呈していると共に、その中央部分には、上方（図１中の上側）に突出する取付ボルト１８が固設されている。また、第一の取付金具１２の下面には、その中心軸上に保持金具２０が固着されている。この保持金具２０は、上方開口部に向かって次第に拡開するテーパ状周壁部を備えており、開口周縁部において第一の取付金具１２の下面に固着されている。
【００２９】
一方、第二の取付金具１４は、大径の略円筒形状とされており、第一の取付金具１２と略同一中心軸上で第一の取付金具１２の下方（図１中の下側）に離隔配置されている。また、第二の取付金具１４は、略円環板形状のゴム固着部２２に対して、その外周縁部から軸方向下方に向かって突出する嵌着筒部２４が一体形成された構造となっている。なお、ゴム固着部２２の内周部分は、中央に向かって次第に軸方向下方に傾斜したテーパ状の傾斜形状とされている。
【００３０】
また、第一の取付金具１２と第二の取付金具１４の対向面間には、本体ゴム弾性体１６が配設されている。この本体ゴム弾性体１６は、大径の略円錐台形状を有していると共に、その中央には、大きな肉抜き状の円形凹所２６が形成されている。この円形凹所２６は、下方に向かって次第に拡径して大径側端面に開口する有底の逆向き円形穴であって、この円形凹所２６が形成されることにより、本体ゴム弾性体１６が、全体として厚肉の逆カップ形状とされている。なお、これにより、第二の取付金具１４の一方の側の開口部が本体ゴム弾性体１６により流体密に覆蓋されている。
【００３１】
そして、本体ゴム弾性体１６の軸方向上側の小径側端面に第一の取付金具１２が重ね合わせられて、第一の取付金具１２の下面に溶接固定された保持金具２０および第一の取付金具１２に対して本体ゴム弾性体１６が加硫接着されている。なお、本実施形態では、保持金具２０の内部にも、本体ゴム弾性体１６が充填されている。また、本体ゴム弾性体１６の大径側端部には、第二の取付金具１４のゴム固着部２２が、外周面から挿し入れられて略埋設状態で加硫接着されている。即ち、本実施形態では、本体ゴム弾性体１６が、第一の取付金具１２と第二の取付金具１４を備えた一体加硫成形品として形成されているのである。
【００３２】
なお、本体ゴム弾性体１６の厚肉円筒形状とされた周壁の軸方向中間部分には、略円環板形状の補強金具２８が固着されて、本体ゴム弾性体１６のばね特性が調節されている。また、第二の取付金具１４には、ゴム固着部２２の下面と嵌着筒部２４の内周面の略全体を覆うようにして、シールゴム層３０が被着されており、本実施形態では、かかるシールゴム層３０が、本体ゴム弾性体１６と一体形成されている。
【００３３】
上述の如く、第一及び第二の取付金具１２，１４を備えた本体ゴム弾性体１６の一体加硫成形品には、第二の取付金具１４の軸方向下側の開口部から可撓性膜としてのダイヤフラム３２が組み付けられている。
【００３４】
ダイヤフラム３２は、中央部分に十分な弛みをもたせて変形容易とした略円板形状とされている。更に、ダイヤフラム３２は、その外周縁部において、嵌着金具３４に加硫接着されている。この嵌着金具３４は、円環板形状の支持部３６に対して、その外周縁部から上方に突出する円筒形状の固定筒部３８が一体形成された構造とされており、支持部３６の内周縁部に対して、ダイヤフラム３２の外周縁部が加硫接着されている。また、嵌着金具３４における固定筒部３８が、第二の取付金具１４の嵌着筒部２４に外挿されて、八方絞り等の縮径加工が施されるようになっている。これにより、嵌着金具３４の固定筒部３８が嵌着筒部２４に外嵌固定されている。なお、固定筒部３８と嵌着筒部２４の嵌着面間は、嵌着筒部２４の外周面に被着形成されたシールゴム層４０で流体密に封止されている。また、本実施形態におけるシールゴム層４０は、本体ゴム弾性体１６と一体形成されている。
【００３５】
このように嵌着金具３４の固定筒部３８が第二の取付金具１４の嵌着筒部２４に外嵌固定されることによって、本体ゴム弾性体１６に形成された円形凹所２６における、第二の取付金具１４の中央孔を通じて下方に開口せしめられた開口部分が、ダイヤフラム３２によって流体密に覆蓋されている。そして、この円形凹所２６を利用して形成されて、外部空間に密閉された、本体ゴム弾性体１６とダイヤフラム３２の対向面間の領域には、非圧縮性流体が封入されており、流体封入領域が画成されている。かかる流体封入領域に封入されている非圧縮性流体としては、例えば水やアルキレングリコール，ポリアルキレングリコール，シリコーン油等が採用されるが、特に流体の流動作用に基づく防振効果を有効に得るためには、０．１Ｐａ・ｓ以下の低粘性流体を採用することが望ましい。また、非圧縮性流体の封入は、例えば第一及び第二の取付金具１２，１４を備えた本体ゴム弾性体１６の一体加硫成形品に対するダイヤフラム３２の組み付けを非圧縮性流体中で行うこと等によって実現される。
【００３６】
また、かかる流体封入領域には、厚肉円板形状とされた仕切部材としての仕切金具４２が、軸直角方向に広がるように配設されており、第二の取付金具１４に支持されて固定的に収容配置されている。これにより、流体封入領域が上下に二分されて、仕切金具４２を挟んだ軸方向一方の側（図１中の上側）には、壁部の一部が本体ゴム弾性体１６で構成されて、第一の取付金具１２と第二の取付金具１４の間への振動入力時に、本体ゴム弾性体１６の弾性変形に伴って圧力変動が生ぜしめられる受圧室４４が形成されている一方、仕切金具４２を挟んだ軸方向他方の側（図１中の下側）には、壁部の一部がダイヤフラム３２で構成されて、該ダイヤフラム３２の弾性変形に基づいて容積変化が容易に許容される平衡室４６が形成されている。
【００３７】
また、図２に示されているように、仕切金具４２には、外周部分において上面に開口し、周方向に連続して延びる凹溝４８が形成されており、かかる凹溝４８は、第二の取付金具１４のゴム固着部２２で流体密に覆蓋されている。これにより、仕切金具４２の外周部分にトンネル状の通路が設けられることとなる。なお、本実施形態では、仕切金具４２の外周部分において一周弱の長さで凹溝４８が形成されている。
【００３８】
さらに、凹溝４８の一方の端部は、第二の取付金具１４のゴム固着部２２の内周縁部よりも径方向内方にまで延び出しており、それによって、ゴム固着部２２よりも内周側で仕切金具４２の上面に凹溝４８の端部が開口せしめられて連通孔４９が形成されている。そして、この連通孔４９を通じて、凹溝４８の一方の端部が受圧室４４に開口して接続されている。更に、凹溝４８の他方の端部は、仕切金具４２における凹溝４８の底壁部に形成された連通孔５０を通じて平衡室４６に開口して接続されている。これにより、仕切金具４２の凹溝４８を利用してオリフィス通路５１が形成されており、このオリフィス通路５１を通じて受圧室４４と平衡室４６が相互に連通されている。なお、このオリフィス通路５１は、常時、受圧室４４と平衡室４６を連通する連通状態に維持されている。
【００３９】
そして、振動入力時には、圧力変動が惹起される受圧室４４と、ダイヤフラム３２の変形に基づいて容積変化が許容される平衡室４６の間に、相対的な圧力変動が惹起されることとなり、それら両室４４，４６間でオリフィス通路５１を通じての流体流動が生ぜしめられる。その結果、受圧室４４と平衡室４６の間でオリフィス通路５１を通じて流動せしめられる流体の共振作用に基づく防振効果が、防振すべき軸方向（図１中の上下方向）の振動に対して発揮されるようになっている。
【００４０】
特に本実施形態では、オリフィス通路５１を流動せしめられる流体の共振周波数が、該流体の共振作用に基づいてシェイク等の１０Ｈｚ前後の低周波大振幅振動に対して有効な防振効果が発揮されるようにチューニングされている。なお、かかる共振周波数のチューニングは、例えばオリフィス通路５１の通路断面積や通路長さ等を設定変更することにより実現される。
【００４１】
更にまた、仕切金具４２は、仕切金具本体５２を含んで構成されている。仕切金具本体５２は、軸直角方向略中央部分において上方に開口する円形の収容凹所５４を備えており、全体として浅底の有底円筒形状とされている。また、本実施形態では、収容凹所５４の開口端部には、段差面５６が設けられており、段差面５６の外周縁部には、全周に亘ってかしめ片５８が仕切金具本体５２と一体形成されている。更に、図２に示されているように、本実施形態では、仕切金具本体５２の中心軸から軸直角方向外方にずれた位置に収容凹所５４が形成されている。更にまた、本実施形態では、収容凹所５４の底面は、軸直角方向中央部分が僅かに盛り上がった湾曲凸状面とされていると共に、軸直角方向外周部分が軸直角方向に広がる平坦面とされている。なお、本実施形態における凹溝４８は、仕切金具本体５２に形成されている。
【００４２】
また、仕切金具本体５２における収容凹所５４には、弾性膜６０が配設されている。弾性膜６０は、全体として略円板形状であって、外周部分が可動弾性膜としての可動ゴム膜６２とされていると共に、軸直角方向中央部分が液圧調節用弾性膜としての液圧吸収膜６４とされている。なお、上述の説明からも明らかなように、弾性膜６０は仕切金具４２（仕切金具本体５２）の受圧室４４側表面に重ね合せられた状態で配設されている。
【００４３】
可動ゴム膜６２は、全体として略円環板形状とされており、その軸方向両面がそれぞれテーパ面で構成されて、軸直角方向中央側から軸直角方向外方に向かって次第に薄肉となっている。また、可動ゴム膜６２の軸直角方向内縁部には、軸方向両側に向かって突出する支持凸条６６が一体形成されている一方、軸直角方向外周縁部には、軸方向両側に向かって突出し、先端に向かって次第に狭幅とされた当接凸条６８が一体形成されている。
【００４４】
一方、液圧吸収膜６４は、ゴム材料で形成された薄肉の湾曲板状であって、全体として軸方向上方に向かって凸となるドーム形状を呈している。また、液圧吸収膜６４の軸方向下面には、軸方向下方に向かって突出する緩衝突部としての複数の緩衝凸条７０が一体形成されている。緩衝凸条７０は、液圧吸収膜６４の周方向で同心円状に延びる凸条であって、本実施形態では、突出先端に向かって次第に狭幅（先細）となっている。
【００４５】
そして、液圧吸収膜６４の外周面と可動ゴム膜６２の下端部の内周面において、それら液圧吸収膜６４と可動ゴム膜６２が一体とされており、液圧吸収膜６４の外周側を全周に亘って取り囲むように可動ゴム膜６２が形成されている。なお、収容凹所５４への弾性膜６０の配設状態において、液圧吸収膜６４の下面が収容凹所５４の底面に形成された湾曲状の凸面に重ね合わせられている。
【００４６】
さらに、仕切金具本体５２には、固定部材としての蓋板金具７２が組み付けられている。蓋板金具７２は薄肉の略円環板形状であって、内周縁部には、略円筒形状の押圧部７４が一体形成されて、軸方向下向きに突出せしめられている。押圧部７４は、軸方向で延びる薄肉の略円筒形状であって、軸方向下端部が湾曲せしめられて折り返されている。なお、本実施形態における蓋板金具７２は、仕切金具本体５２と同様な材料で形成されている。
【００４７】
そして、蓋板金具７２が仕切金具本体５２における軸直角方向中央部分の上面（収容凹所５４の開口端面である段差面５６）に重ね合わせられると共に、蓋板金具７２の外周縁部がかしめ片５８で仕切金具本体５２にかしめ固定されて、蓋板金具７２が仕切金具本体５２に対して組み付けられている。そこにおいて、このように蓋板金具７２が仕切金具本体５２に固定されることによって、仕切金具本体５２における収容凹所５４に配設された弾性膜６０が、蓋板金具７２と仕切金具本体５２の対向面間で固定的に組み付けられている。即ち、可動ゴム膜６２の内周縁部に設けられた支持凸条６６が仕切金具本体５２と蓋板金具７２の対向面間（収容スペース）で圧縮されて、可動ゴム膜６２が仕切金具本体５２と蓋板金具７２の対向面間（収容スペース）に固定的に収容配置されていると共に、液圧吸収膜６４の外周縁部が蓋板金具７２における押圧部７４と仕切金具本体５２の軸方向間で挟み込まれて固定されているのである。
【００４８】
また、可動ゴム膜６２の軸直角方向中間部分や可動ゴム膜６２の外周縁部に設けられた当接凸条６８が仕切金具本体５２及び蓋板金具７２の何れからも離隔せしめられていると共に、可動ゴム膜６２の外周面が仕切金具本体５２に形成された収容凹所５４の内周面から僅かに離隔せしめられている。
【００４９】
さらに、仕切金具本体５２において可動ゴム膜６２の軸方向下方に位置する部分には、周方向の複数箇所に下側通孔７６が形成されていると共に、蓋板金具７２において可動ゴム膜６２の軸方向上方に位置する部分には、周方向の複数箇所に上側通孔７８が形成されている。それらの通孔７６，７８を通じて可動ゴム膜６２の上面に受圧室４４の液圧が作用せしめられると共に、可動ゴム膜６２の下面に平衡室４６の液圧が作用せしめられるようになっている。なお、それら下側通孔７６と上側通孔７８によって本実施形態における通孔が構成されている。
【００５０】
また、液圧吸収膜６４は、軸直角方向中央部分の上面が受圧室４４に直接的に面していると共に、軸直角方向中央部分の下面が仕切金具本体５２の上面（収容凹所５４の底面）に接触状態で重ね合わせられている一方、外周縁部が仕切金具４２に対して固定されていることから、液圧吸収膜６４の軸直角方向中央部分において、受圧室４４側への弾性変形が許容されていると共に、平衡室４６側への弾性変形が仕切金具４２への当接により規制されている。
【００５１】
さらに、仕切金具本体５２において液圧吸収膜６４が重ね合わせられている部分には、仕切金具本体５２を軸方向で貫通する透孔としての連通孔８０が形成されている。この連通孔８０は受圧室４４側の開口部が液圧吸収膜６４で覆蓋されており、連通孔８０を通じて、液圧吸収膜６４の軸方向下面に平衡室４６の液圧が作用せしめられると共に、液圧吸収膜６４の軸方向上方（受圧室４４側）への弾性変形時には、液圧吸収膜６４と仕切金具本体５２の間に平衡室４６から封入流体が流入せしめられるようになっている。なお、上述の説明からも明らかなように、液圧吸収膜６４には、その一方の面に受圧室４４の液圧が及ぼされると共に、他方の面に連通孔８０を通じて平衡室４６の液圧が及ぼされるようになっている。また、本実施形態における連通孔８０は、略一定の円形断面で延びる円形孔であって、収容凹所５４の軸直角方向中央部分を外れた位置に開口するように形成されている。
【００５２】
ここにおいて、本実施形態に従う構造とされたエンジンマウント１０では、自動車への装着状態下で第一の取付金具１２と第二の取付金具１４の間に略上下方向の振動が入力されると、受圧室４４と平衡室４６の間に相対的な圧力差が生ぜしめられることに基づいて、それら両室４４，４６間において、オリフィス通路５１を通じての流体流動が生ぜしめられることとなる。特に、本実施形態では、オリフィス通路５１がエンジンシェイク等の低周波数域にチューニングされており、防振対象振動である低周波大振幅振動が入力されて、受圧室４４に正圧が生ぜしめられた場合には、液圧吸収膜６４が仕切金具本体５２（収容凹所５４の底壁面）に押し付けられて、弾性変形が規制されることから、受圧室４４内の圧力変動を確保して、オリフィス通路５１を通じての流体流動量を有効に得ることができ、流動せしめられる流体の共振作用に基づいてエンジンシェイク等の低周波大振幅振動に対して、所期の防振効果が有効に発揮されることとなる。なお、エンジンマウント１０の自動車への装着状態下において、外力（振動）が入力されていない静置状態で液圧吸収膜６４の下面（緩衝凸条７０の突出先端）が仕切金具本体５２に予め接触するように液圧吸収膜６４を配設することにより、受圧室４４に正圧が生じた場合に、受圧室４４内の液圧変動を逃すことなくより有利に確保することが出来ると共に、液圧吸収膜６４が仕切金具本体５２に打ち当てられることを防ぐことが出来て、打音の発生を有利に防止することが出来る。
【００５３】
一方、オリフィス通路５１のチューニング周波数よりも高周波数域の走行こもり音等の高周波小振幅振動が入力された場合には、オリフィス通路５１の流動抵抗が著しく増大することに伴って受圧室４４に惹起される大きな圧力変動が、弾性膜６０の微小な弾性変形に基づいて平衡室４６に逃されて軽減乃至は解消されることとなり、それによって、オリフィス通路５１の実質的な閉塞化に起因する著しい高動ばね化が回避されて良好な防振性能が発揮され得ることとなる。
【００５４】
また一方、第一の取付金具１２と第二の取付金具１４の間に略上下方向の振動が入力されて第一の取付金具１２と第二の取付金具１４が離隔方向に相対変位せしめられた場合には、受圧室４４に負圧が生ぜしめられることとなる。図３に示されているように、この受圧室４４内で惹起される負圧によって液圧吸収膜６４が受圧室４４側に吸引されて、弾性変形せしめられる。そして、液圧吸収膜６４の受圧室４４内への膨出変形によって、受圧室４４の容積が実質的に減少することにより、受圧室４４内の負圧が速やかに解消されることとなる。これにより、受圧室４４で生じる負圧に起因する衝撃的な音や振動等の発生が効果的に防止されるのである。
【００５５】
なお、本実施形態では、液圧吸収膜６４の弾性変形によって受圧室４４内の負圧が緩和されることから、振動入力時において、受圧室４４に負圧が生じる時の受圧室４４内での液圧のピーク値の絶対値が、正圧が生じる時の受圧室４４内での液圧のピーク値の絶対値に比して小さくなる。しかしながら、液圧吸収膜６４による負圧緩和機構を設けない場合には、受圧室４４内で生じる負圧に起因するキャビテーション現象によって、受圧室４４内における液圧の負圧側のピーク値の絶対値が正圧側のピーク値の絶対値に比して小さくなってしまうことから、液圧吸収膜６４による液圧吸収に起因する防振性能の低下は問題とならない程度に小さいものであって、所期の防振性能を維持しつつ、キャビテーションによる異音や振動の発生を有効に回避することが出来るのである。
【００５６】
また、本実施形態に従う構造とされた自動車用のエンジンマウント１０では、液圧吸収膜６４の外周側を取り囲むように可動ゴム膜６２を設けて、可動ゴム膜６２の各面に受圧室４４内の圧力と平衡室４６内の圧力が及ぼされるようになっている。それ故、受圧室４４と平衡室４６の圧力差に基づく可動ゴム膜６２の微小な弾性変形によって、受圧室４４内に惹起される圧力変動が平衡室４６に逃されることとなって、中乃至高周波小振幅振動の入力に対して優れた防振効果を得ることが出来る。特に本実施形態では、変形量が大きくなり易い可動ゴム膜６２の外周縁部において、軸方向両側に向かって突出するように当接凸条６８が形成されていることから、可動ゴム膜６２が弾性変形せしめられ、仕切金具本体５２や蓋板金具７２に打ち当てられて、当接打音が生じるといった不具合を効果的に防ぐことが出来る。なお、上述の説明からも明らかなように、本実施形態における液圧吸収機構が可動ゴム膜６２を含んで構成されている。
【００５７】
また、液圧吸収膜６４に緩衝凸条７０を一体形成したことにより、液圧吸収膜６４が受圧室４４で生じる負圧によって吸引されて弾性変形せしめられた後、負圧が解除されて、仕切金具本体５２に打ち当てられることによる打音の発生を低減することが出来る。特に本実施形態では、緩衝凸条７０が突出先端側に向かって次第に狭幅となる先細形状を有していることから、当接による衝撃力をより効果的に吸収することが出来て、打音の発生をより有利に低減することが出来る。
【００５８】
以上、本発明の一実施形態について説明してきたが、これはあくまでも例示であって、本発明は、かかる実施形態における具体的な記載によって、何等、限定的に解釈されるものではない。
【００５９】
例えば、前記実施形態では、液圧吸収膜６４が直接的に受圧室４４に面しており、液圧吸収膜６４の軸方向上方、即ち、受圧室４４側には、カバー等が設けられていなかった。しかしながら、通常の振動入力時には液圧吸収膜６４が当接せしめられない程度に液圧吸収膜６４から軸方向上方（受圧室４４側）に離隔して、カバー状の変形制限部材を設けることも可能である。このような変形制限部材を設けることにより、液圧吸収膜６４の受圧室４４側への過大な弾性変形を変形制限部材への当接によって制限して、液圧吸収膜６４の耐久性の低下を効果的に防止することが出来る。
【００６０】
また、前記実施形態では、液圧吸収膜６４が軸方向上方に向かって凸とされたドーム形状とされていたが、液圧吸収膜６４は、必ずしもこのような形状である必要はない。具体的には、例えば、円形の略平板形状とされていても良いし、軸方向下方に向かって凸とされた湾曲形状であっても良い。
【００６１】
また、前記実施形態では、液圧吸収膜６４の仕切金具４２に対する当接時の打音を低減するために、液圧吸収膜６４の下面から仕切金具４２に向かって突出する緩衝凸条７０が緩衝突部として設けられていたが、このような緩衝突部は、必ずしも必要ではない。更に、緩衝突部は必ずしも周方向に連続して延びる形状とされている必要はなく、液圧吸収膜６４の下面から仕切金具４２に向かって突出する複数の突起を形成しても当接打音の低減効果を有効に発揮せしめることが出来る。
【００６２】
また、前記実施形態において示された可動ゴム膜６２は必ずしも必要ではなく、液圧吸収膜６４だけが収容凹所５４に配設されていても良い。更に、可動ゴム膜は、必ずしも液圧吸収膜６４と一体形成されている必要は無く、液圧吸収膜６４とは別体として形成された可動ゴム膜を仕切金具４２に配設することも出来る。
【００６３】
また、前記実施形態では、液圧吸収膜６４の外周縁部が蓋板金具７２の押圧部７４と仕切金具本体５２の間で挟圧されることによって、液圧吸収膜６４が仕切金具４２に対して固定的に組み付けられていたが、例えば、円環板形状とされた蓋板金具７２の内周部分に液圧吸収膜６４の外周縁部を加硫接着せしめると共に、蓋板金具７２の外周部分を仕切金具本体５２に固定することにより、液圧吸収膜６４を仕切金具４２に対して固定的に組み付けることも可能である。
【００６４】
また、前記実施形態では、エンジンシェイク等の低周波数域の振動にチューニングされたオリフィス通路５１のみを有するシングルオリフィス構造のエンジンマウント１０に本発明を適用した例を示したが、それぞれ異なる周波数域の振動に対して防振効果を発揮する複数のオリフィス通路を有するエンジンマウントにも本発明を適用することが可能である。具体的には、例えば、エンジンシェイク等の低周波数域の振動にチューニングされた第一のオリフィス通路と、アイドリング等の中乃至高周波数域の振動にチューニングされた第二のオリフィス通路を有し、第一のオリフィス通路と第二のオリフィス通路によって受圧室と平衡室を連通せしめたダブルオリフィス構造のエンジンマウントにも本発明は適用され得る。
【００６５】
その他、一々列挙はしないが、本発明は、当業者の知識に基づいて種々なる変更，修正，改良等を加えた態様において実施され得るものであり、また、そのような実施態様が、本発明の趣旨を逸脱しない限り、何れも、本発明の範囲内に含まれるものであることは、言うまでもない。
【図面の簡単な説明】
【００６６】
【図１】本発明の一実施形態としての自動車用エンジンマウントを示す縦断面図であって、図２におけるＩ−Ｉ断面に相当する図である。
【図２】図１に示された自動車用エンジンマウントにおける仕切部材を示す平面図である。
【図３】図１に示された自動車用エンジンマウントの要部を示す縦断面図であって、受圧室に負圧が生じた状態を示す図である。
【符号の説明】
【００６７】
１０  エンジンマウント
１２  第一の取付金具
１４  第二の取付金具
１６  本体ゴム弾性体
３２  ダイヤフラム
４２  仕切金具
４４  受圧室
４６  平衡室
５１  オリフィス通路
５４  収容凹所
６０  弾性膜
６４  液圧吸収膜
７２  蓋板金具
８０  連通孔
【図１】
2007139024.tif 000003
【図２】
2007139024.tif 000004
【図３】
2007139024.tif 000005